(57)【特許請求の範囲】
【請求項１】
テーブルライナーを高速回転することにより、粉砕ローラが該テーブルライナーの回転トルクを被破砕物を介して受けて被破砕物を破砕する竪型ミルにおける磨耗した粉砕ローラの再生方法であって、
回転駆動装置を前記粉砕ローラと別置とせずに直接前記粉砕ローラに取り付けて前記粉砕ローラと同架させ、
前記回転駆動装置の本体にトルクアームを取り付け、
前記トルクアームによって前記回転駆動装置の本体を固定しつつ、前記回転駆動装置の回転軸を駆動させて前記粉砕ローラを回転させ、
前記テーブルライナーを低速回転させ、
前記粉砕ローラと前記テーブルライナーを同時に肉盛り溶接する
ことを特徴とする竪型ミルの再生方法。
【発明の詳細な説明】
【技術分野】
【０００１】竪型ミル等の粉砕ローラー（以下ローラーという）のミル内における再生において、被溶接物であるローラーに同架してローラーを回転駆動する方法とその装置に係わるものである。
【背景技術】
【０００２】竪型ミルのローラーは下部のテーブルライナーと共にその粉砕面は摩耗し、この摩耗が進行するにつれて竪型ミルの生産性（単位時間あたりの粉砕量）が次第に低下する。この生産性を維持するためには、ローラーに関しては以下の二つの方法がある。
１．ローラーを適当な段階でミルの外に取り出し、別のローラーと交換する方法
２．ローラーをミルの外に取り出すことなく、ミルの中で摩耗面を肉盛り溶接し、オリジナルの形状に戻す（再生する）方法
小型のミルの場合には上記の１の方法は比較的簡単に且つ短期間で施工することが出来る。しかし、ミルが大型になればなる程ローラーを取り出すことは時間を要することとなり、コストが掛かると共にミル休止時間が長くなる。その結果装置の稼働率が低下する。この様な場合には２の方法は安価であるとともに、短時間で施工できることからミルの稼働率を高めることが可能になる。
竪型ミルのローラーは、一例として図１に示す様に、運転時に回転出来るように回転軸を有しており、また下部のテーブルライナーは主モーターと減速機により高速回転する構造になっている。通常の運転時にはローラーはテーブルライナーの回転トルクを被粉砕物を介して受け、その結果高速回転することになる。いっぽう、被粉砕物はローラーとテーブルライナーの間で圧縮粉砕・摩擦粉砕というメカニズムのもとに粉砕される。
上記の様に、竪型ミルのローラーをミル内で自動肉盛り再生する場合には、被溶接物であるローラーが溶接に適した速度（通常運転時の速度に比して極めて低速）で回転することが必要である。従来、このローラーを回転させるためには、公開特許公報（特開平４−２８４８５８および特開平４−３２７３７２）にも示されているように、ギヤーモータなどの回転駆動装置をローラーと別置きで固定させ、図２に示すような方法で、チェーン、ベルト、ギヤー、自在継手等を介して回転駆動力をローラー回転軸に伝達している。しかしながら、この様な従来技術によれば以下のような課題がある。
１．ギヤーモーターの減速比は通常１０００程度以下に限られる。
２．大型竪型ミルの場合のローラーは８〜１０トンと重量物であり、この駆動装置のモーター容量が大きくなる結果、駆動装置が大型化・重量物化しがちである。
３．その結果、別置きとなる駆動装置の設置に比較的大きなスペースが必要となる。併せて、トルク伝達方式に因るローラーの不安定な回転速度（ギヤーのバックラッシュ、ベルトチェーンの緩み等に因るものを含む）が発生し易く、また装置取付を厳密に行う必要がある。この様な作業を竪型ミル内の制約された空間の中で行う事は大変な作業となる。
４．小型のミルローラーをミル内で肉盛り溶接する場合には、上記の別置き式の駆動装置を取付けるスペースが無いことがしばしばある為に、物理的な理由でミル内での肉盛り施工を断念せざるを得ない。
５．別置き式の駆動装置はテーブルライナーあるいはミル中央部の床面に取付けられる為、このテーブルライナーあるいはミル中央部の床面が回転している状態では別置き式の駆動装置を使用することは出来ない。たとえば、テーブルライナーを肉盛り溶接により再生している時にはテーブルライナーは回転しており、テーブルライナーの再生と同時に別置き式の駆動装置を使用してローラーをミル内で肉盛り溶接することは出来ない。
【発明の開示】
【発明が解決しようとする課題】
【０００３】以上のように、従来の方法では、大型の竪型ミル内における肉盛り溶接施工において、駆動装置の大型化・重量物化、要求される設置スペース、大変な取付作業、不安定駆動、テーブルライナーとローラーの同時施工が出来ない等の課題があり、現実の施工において障害になる場合が多い。また、小型のミルの場合にはミル内で施工することは不可能であると言える。従来技術における上記の課題は本発明が解決しようとする課題であり、以下に示す通りである。
１．別置き型の独立駆動系によりローラーを駆動する為にトルク伝達機構が必要となり、ギヤーのバックラッシュやチェーン・ベルトの緩み等により回転が不安定になる場合がある。
２．別置き型の独立駆動系の取付においては厳密な位置合わせが要求され、作業空間が制約されるミル内での取付作業は大変である。
３．別置き型の独立駆動系を採用する場合には、大型化・重量物化しやすい為にハンドリングが大変になる。あるいは取付スペースが限定される場合には、物理的な理由で取り付け不可能な場合がある。
４．別置き型の独立駆動系を採用する場合には、テーブルライナーとローラーを同時に肉盛り溶接することは不可能である。
【課題を解決する為の手段】
【０００４】上記の課題は別置き型の回転駆動装置を用いることに因るもので、駆動装置を別置き型とせず、被溶接物であるローラー回転軸に駆動装置を直接取り付けて当該ローラーを駆動することを特徴とする被溶接部の回転駆動方法または回転駆動装置によりこれらの課題を解決することが出来る。
【発明の効果】
【０００５】竪型ミルの粉砕ローラーの肉盛り溶接において、被溶接物であるローラーを竪型ミル内より取外すことなく、回転軸に取付けられた状態でローラーを回転駆動する方法として、ローラー回転軸に駆動装置を直接取り付けて当該ローラーを駆動することを特徴とする被溶接部の回転駆動方法および回転駆動装置によれば、以下の効果が得られる。
１．回転駆動装置が被溶接物に同架した構造である為に、取付面積が最小限で済む。
２．減速機のギヤーにはバックラッシュが小さく、減速比を大きく（たとえば２０００程度）とることが可能なスパイラルベベルギヤー、ハイポイドギヤーなどを使用する。
３．また、この様に減速比が大きい減速機を採用している為に、ギヤーモータは小型となる。
４．回転駆動装置が被溶接部のローラーに同架した構造であり、小型で且つ軽量化したものであるために、その取付は極めて簡単であり、また最小限の設置面積で済む。その結果、従来比較的大容量のモータを必要としていた大型ミルのローラーにも、また設置スペースが極めて限定される小型ミルのローラーにも本回転駆動装置が採用できる。
５．回転駆動装置がテーブルライナーあるいはミル中央部の床面に接触しない為に、テーブルライナーとローラーを同時に肉盛り溶接することが可能となる。
６．ローラーが極端に大きいことに因りトルク不足が発生する場合でも、この小型の回転駆動装置２台を一つのローラー回転軸に同架させることにより、このトルク不足を解決することが可能になる。
７．以上のような特徴により、ほとんどのローラーの回転駆動装置として採用することが可能となり、その結果ほとんどのミルローラーのミル内での肉盛り溶接が可能となり、メンテナンスコストが削減できる。
【発明を実施するための最良の形態】
【０００６】本発明の基本構想図を図３に示す。駆動装置の回転軸とローラータイヤは直接結合され、ローラータイヤに同架している構造である。駆動装置の構成部材であるギヤーモータのギヤー比を大きくし、モーターは小型軽量化を図ったものである。
駆動装置がローラータイヤに同架しているために最小限の設置スペースで済む。また、駆動装置を固定する為にトルクアームなどを使用するが、極めて単純な形状のもので十分であり、ミル内の状況に応じて、様々なもので対応できる。
駆動装置の減速装置としてスパイラルベベルギアやハイポイドギアなどを用い、ギアのバックラッシュを少なくすることにより、駆動装置から出力される回転は滑らかなものとすることができ、その出力を直接ローラータイヤに伝達するため、ローラー回転軸の角度に関係なく設置できる。
このように本発明は、上述の課題がギヤーモータ駆動軸端からのローラー回転トルク伝達方式の変更（ギヤーモータによる直接駆動）および駆動装置の小型化・軽量化により解決可能であることを示している。すなわち、ギヤーモータ軸端から直接ローラー回転軸を駆動する方式とし、その為にハイポイドギヤー、ベベルギヤー等を採用することにより減速比を大とし、さらにギヤーのバックラッシュが小さくなることにより安定駆動が可能になる。また、直接駆動であることから、トルク伝達機構を排除し、簡単な構造とすることが出来る。上述の如くギヤーモータ駆動軸端より直接ローラ回転軸を駆動する為には駆動装置はローラーに同架した構造となる。
【実施例】
【０００７】約８トンのローラー（ローラー直径：約２，０００ｍｍ）を、良好な肉盛り溶接を施工するための周速として約１，０００ｍｍ／ｍｉｎで回転させる為の駆動装置の実施例として、例えば以下の仕様が挙げられる。
ギヤーモータ：３相×２００Ｖ×５０ｗ×４極モータ
ギヤー比    ：１／１，８００
駆動軸端での最高回転速度：１ｒｐｍ（６０Ｈｚ）、０．８３ｒｐｍ（５０Ｈｚ）
駆動軸端での最大トルク３２ｋｇ−ｍ（６０Ｈｚ）、３８ｋｇ−ｍ（５０Ｈｚ）
ロータリーアースの容量：１，０００Ａｍｐ
この様な考え方で具体的に考案した駆動装置（ロータリーアース含む）の取付状態の例を基本構想図として示した図３に、駆動装置本体の具体例を図４〜図６に示す。
図４はギヤーモータの駆動側軸端とローラー主軸を一体化した場合である。この場合の駆動装置の重量は１２ｋｇ程度と極めて軽量となり、取付が簡単で所要スペースが少なく、さらに安定駆動が可能となる。図５はギヤーモータとローラーの間に一対の歯車を用いた例で、図６はチェーンまたはベルトによりギヤーモータのトルクをローラー主軸に伝達する場合の例をそれぞれ示す。トルク伝達に歯車、ベルトチェーン等を用いることにより、さらに減速比を大きくすることが可能になる。
この様な方法により、従来大変な作業であった大型竪型ミルのミル内でのローラー肉盛り溶接が容易になり、従来不可能であった小型ミルのミル内でのローラー肉盛り溶接、テーブルライナーとローラーの同時肉盛り溶接が可能になる。
【産業上の利用可能性】
【０００８】本発明による駆動方法あるいは駆動装置は事業用石炭火力発電所の石炭粉砕機、自家発用石炭火力発電所の石炭粉砕機、セメント業界に於けるセメント原料、クリンカー、スラグ等の粉砕機、砕石用粉砕機等の粉砕装置の再生にきわめて有効に利用可能である。
これらの粉砕機は日本国内にきわめて数多く設置されており、今後もこの種の粉砕機の設置台数は増えるものと容易に予想される。この様に、今後も増えつづける竪型粉砕ミルは摩耗の状況に応じて肉盛り溶接により再生する必要があり、今後増え続ける再生の中でその効果を発揮することになる。
【図面の簡単な説明】
【０００９】
【図１】竪型ミルの構造例を示す装置の正面図である。
【図２】別置き型のギヤーモーターとチェーンによるローラー回転駆動装置例（ａ）と別置き型のギヤーモーターとユニバーサルジョイントによるローラー回転駆動装置例（ｂ）で、いずれも従来から使用されてきたものを示す。
【図３】ローラータイヤに同架した直接駆動型回転駆動装置の基本構想図を示す。
【図４】ローラータイヤに同架した回転駆動装置の代表例を示す。
【図５】ギヤーモータとローラー主軸の間にさらにギヤーを組込んだケースで、図４の代表的な場合よりも減速比をさらに大きくすることが出来る。
【図６】ギヤーモータとローラー主軸の間にチェーンあるいはベルトを組込んだケースで、図４の代表的な場合よりも減速比をさらに大きくすることが出来る。
【符号の説明】
【００１０】１    粉砕室
２    ローラー
３    テーブルライナー
４    テーブル
５    ジャーナルアッセンブリー
６    ギヤーモーター
７    スプロケット
８    トルクアーム
９    ロータリーアース
１０  ユニバーサルジョイント
１１  チェーン（またはベルト）
【図１】
0004622232.tif 000002
【図２】
0004622232.tif 000003
【図３】
0004622232.tif 000004
【図４】
0004622232.tif 000005
【図５】
0004622232.tif 000006
【図６】
0004622232.tif 000007